(57)【要約】【課題】上押し成形を行う際に、ボスを用いずに中押し成形部の偏在を防止することができるコネクタを提供すること。【解決手段】コネクタ本体１と、コネクタ本体の外側に設けられた中押し成形部１０ａと、中押し成形部の外部に設けられた上押し成形部２０ａとを有するコネクタであって、中押し成形部の外部に位置決め部材１２を設け、位置決め部材の一部が上押し成形部の表面から部分的に露出していることを特徴とする。この位置決め部材１２は、中押し成形部の上下面の対称な位置に一体成形された一対の突出部であり、各突出部は前記上押し成形部を形成するための上押し成形用金型の両金型の方向へそれぞれ突出している。【選択図】  図４
2005158358.tif 000002
【特許請求の範囲】
【請求項１】
金属製の接続部を有するコネクタ本体と、該コネクタ本体の外側に設けられた中押し成形部と、該中押し成形部の外側に設けられた上押し成形部とを有するコネクタであって、前記中押し成形部に位置決め部を設け、該位置決め部が前記上押し成形部の表面から部分的に露出することを特徴とするコネクタ。
【請求項２】
前記位置決め部は前記中押し成形部に一体成形された一対の突出部であり、各突出部は前記上押し成形部を形成するための上押し成形用金型の両金型の方向へそれぞれ突出している請求項１記載のコネクタ。
【請求項３】
前記一対の突出部は、各々、前記中押し成形部の上下面の対応する部分から対称に突出している請求項２記載のコネクタ。
【請求項４】
前記一対の突出部は、前記中押し成形部の傾斜規制方向に沿って延在している請求項２記載のコネクタ。
【発明の詳細な説明】
【技術分野】
【０００１】
本発明は、コネクタに関するものであり、特に、コネクタ本体と、該コネクタ本体の外側に設けられた中押し成形部と、該中押し成形部の外側に設けられた上押し成形部とを有するコネクタに関するものである。
【背景技術】
【０００２】
従来構造のＬ字型コネクタを図５乃至図８に示す。このコネクタは、大きく分けて３つの工程を経て製造される。図５は、最初の工程におけるコネクタ本体１の完成状態を示し、このコネクタ本体１は、概ね、金属製の接続部２、ケーブル３、リード線４、金属製保持部材５およびプラスチック製モールド部材６から構成されている。
【０００３】
第２の工程では、この最初の工程におけるコネクタ本体１の外側から中押し成形用金型を用いてポリプロピレンを充填し、中押し成形部１０を形成する。この中押し成形部１０のポリプロピレンは比較的硬質であり、ケーブル３のシースを押さえ、ケーブル３を引っ張ったときの強度を確保する。
【０００４】
また、中押し成形部１０を成形する際、中押し成形用金型のボスによりケーブル３のシースを押さえ、ケーブル３が中押し成形部１０内における適正位置に配置される。このボスの跡は、ボス穴１１として残存する。
【０００５】
最後の第３の工程では、第２の工程で形成した中押し成形部１０の外側から上押し成形用金型を用いてポリ塩化ビニルなどの柔軟性のある合成樹脂を充填し、上押し成形部２０を形成する。この際、上押し成形用金型のボスにより、中押し成形部１０のケーブル３を被覆した部分３ａを押さえ、中押し成形部１０が上押し成形部２０内における適正位置に配置される。このボスの跡は、ボス穴２１として残る。
【０００６】
中押し成形部１０によりケーブル３を適正位置に固定することにより、上押し成形部２０を成形する際にケーブルが外部に露出することがなく、デザイン等の設計自由度の高い外観を実現することができる。中押し成形部１０だけでこのコネクタを実現しようとすると、ケーブル３を適正位置に配置することが困難であり、ケーブル３がコネクタの外部に露出することがある。
【発明の開示】
【発明が解決しようとする課題】
【０００７】
中押し成形部１０の外側に上押し成形部２０を成形する際には、ケーブル３のみが上押し成形用金型のボスにより押さえられ、ケーブル３の周囲部分２２のみが適正位置に配置される。しかし、コネクタの中央部分２３においては、このボスのような中押し成形部１０の位置決めをする手段が存在しない。
【０００８】
このため、コネクタの中央部分２３の内部において、中押し成形部１０が偏在して固定されてしまう場合が生じる。特に、図８に示すように、上押し成形部２０を成形する上押し成形用の両金型の対向方向（図８において実線矢印で示す）において、破線の矢印で示す方向（またはその逆の方向）へ偏在し、上押し成形部２０の肉厚にバラツキが出てしまうという問題があった。
【０００９】
この問題点を解決するために、コネクタの中央部分２３において、上押し成形用金型にボスを設けることも考えられるが、このボスによるボス穴が上押し成形部２０の表面に残ってしまうため、ボス穴から侵入した水分等が中押し成形部１０の表面に一部が露出している金属製保持部材５（図６参照）を腐蝕させる等の問題がある。また、ボス穴の残存はコネクタ表面の美観を損なうことにおいても問題である。
【００１０】
これらの問題に鑑み、本発明は、上押し成形部の成形を行う際に、ボスを用いずに中押し成形部の偏在を防止することができるコネクタを提供することを目的とする。
【課題を解決するための手段】
【００１１】
上記目的を達成するため、本発明のコネクタは、コネクタ本体と、該コネクタ本体の外側に設けられた中押し成形部と、該中押し成形部の外側に設けられた上押し成形部とを有するコネクタであって、前記中押し成形部に位置決め部を設け、該位置決め部が前記上押し成形部の表面から部分的に露出することを特徴とする。
【００１２】
本発明は、中押し成形部自体に位置決め部を形成することにより、上押し成形部の成形を行う際の中押し成形部の偏在、およびそれによる上押し成形部の肉厚のバラツキを防止することができる。また、中押し成形部自体に位置決め部を設けているため、上押し成形用金型にボスを設ける必要がなく、ボス穴が残ることによる問題を伴わない。
【００１３】
好ましくは、前記位置決め部は前記中押し成形部に一体成形された一対の突出部であり、各突出部は前記上押し成形部を形成するための上押し成形用金型の両金型の方向へそれぞれ突出している。
【００１４】
このように一対の突出部が上押し成形部を形成するための両金型の対向方向へ突出しているため、両金型の表面から位置決め部材基部までの距離を正確に規制することができる。したがって、当該方向における中押し成形部の位置決めを高い精度で実現することができる。
【００１５】
また、前記一対の突出部は、それぞれ、前記中押し成形部の左右側面の対応する同一部分から対称に突出するようにすることが好ましい。
【００１６】
このように一対の突出部が、それぞれ、中押し成形部の左右側面の対応する同一部分から対称に突出することにより、上押し成形部の成形時における両金型の圧力が、各突出部に均等に加わる。このため、この両金型の圧力による中押し成形部の偏在を効果的に防止することができる。
【００１７】
また、本発明のコネクタは、前記一対の位置決め部材が、前記中押し成形部の傾斜規制方向に沿って延在していることが好ましい。
【００１８】
一対の位置決め部材が、中押し成形部の傾斜規制方向に沿って延在しているため、位置決め部材の延在方向において広い範囲で中押し成形部の傾斜を防止することができる。
【００１９】
本発明の他の目的、作用及び効果は、以下の実施の形態及びその図面から明らかにされる。
【発明を実施するための最良の形態】
【００２０】
以下、本発明に係るコネクタの好適な実施形態を、図面を参照しつつ説明する。
図１及び図２は、本発明の好適な実施形態であるＬ字型コネクタの中押し成形部が形成された状態のコネクタ本体１を示している。２は、このコネクタ本体１の接続部であり、３は該コネクタ本体１に接続されたケーブルを示している。なお、図５乃至図８に付した従来のＬ字型コネクタの構造と同一の機能を有する構成部材には、同一の符号を用いて説明する。
【００２１】
本実施例のコネクタの中押し成形部１０ａは、図２に示すように、その上下面１４ａ、１４ｂに一対の位置決め部１２を備えている。この位置決め部１２は、中押し成形部１０ａに一体成形された一対の細長いリブ状の突出部から成り、各突出部は前記上押し成形部を形成するための上押し成形用金型の両金型の方向へそれぞれ突出している。
【００２２】
さらに、この位置決め部（突出部）１２は、各々、中押し成形部１０ａの上面１４ａと下面１４ｂの対応する同一部分１３ａ、１３ｂから対称に突出している。
【００２３】
これらの位置決め部１２の各面１４ａ、１４ｂからの高さは、外押し成形部２０ａの当該部分の厚みに相当する。
【００２４】
また、これらの位置決め部１２は、中押し成形部１０ａにおいて、傾斜規制方向に沿って延在している。図３に矢印Ａによって示されているのが、本実施形態における傾斜規制方向である。従来構造のＬ字型コネクタの中押し成形部が、この傾斜規制方向において傾斜していることが図８において示されている。なお、この矢印Ａの傾斜規制方向は、この従来構造のコネクタと本実施例のコネクタとの対応関係において一例として示されているに過ぎない。一般に、この傾斜規制方向は、コネクタや金型の形状、あるいは他のボスの位置等から定まる。
【００２５】
また、この傾斜規制方向は、複数の方向において認められる場合がある。例えば、図３に示す矢印Ｂの方向においても傾斜規制方向が認められる場合には、位置決め部（突出部）１２を十文字型、Ｌ字型、Ｔ字型等に形成することが好ましい。また、位置決め部１２の位置や数も以上の実施形態に限定されるものではなく、コネクタの形状やサイズに応じて、適切な場所に適切な数の位置決め部を設けてもよい。
【００２６】
次に、本発明の作用効果について上記実施形態を参照しつつ説明する。本実施形態のコネクタは、従来構造のＬ字型コネクタと同様に大きく分けて３つの工程から製造される。即ち、コネクタ本体１（図１参照）が製造された後、このコネクタ本体１の外側から中押し成形がなされ、その中押し成形により形成された中押し成形部１０ａの外側から上押し成形がなされ、その上押し成形により上押し成形部２０ａが成形されることによって完成する。
【００２７】
位置決め部１２は上押し成形部２０ａを形成するための上押し成形用金型の両金型の方向へそれぞれ突出している。また、位置決め部１２の高さは、上押し成形部２０ａの厚みに相当する。このため、上押し成形が完了すると、図３に示すように、位置決め部１２の先端部が上押し成形部２０ａの表面から一部露出する。なお、図３は、コネクタの完成状態を示す正面図であるが、その背面図は図３と対称に現われる。
【００２８】
このように、本発明では、以上のような位置決め部１２を有しているので、上押し成形部２０ａを成形する際の中押し成形部１０ａの偏在をボス等によらずに実現することができる。特に、コネクタの中央部分のように、ボス穴の残存を回避したい箇所において有効である。
【００２９】
また、この位置決め部１２により、両金型の表面から位置決め部１２までの距離を正確に管理することができるため、中押し成形部１０ａの偏在により、その一部が上押し成形部２０ａの表面から外部に露出するような場合を防止することができる。
【００３０】
また、この位置決め部１２は、中押し成形部１０ａの上下面１４ａ、１４ｂの対応する同一部分１３ａ、１３ｂから対称に突出しているため、上押し成形時における両金型の圧力が、各位置決め部１２に均等に加わる。このため、両金型の圧力による中押し成形部１０ａの偏在が防止される。
【００３１】
上述したように、位置決め部１２は、図３において矢印Ａで示す傾斜規制方向に沿って延在している。このため、図４に示すように、中押し成形部１０ａの傾斜規制方向における傾斜を防止することができる。
【００３２】
なお、上記の説明はＬ字型コネクタに関するものであるが、本発明はコネクタの形状を限定するものではない。接続部とケーブル３が同一方向に延在する、所謂ストレートタイプのコネクタにも適用することができる。
【図面の簡単な説明】
【００３３】
【図１】本発明の一実施形態に係るコネクタにおける中押し成形部１０ａが設けられたコネクタ本体１の正面図である。
【図２】図１に示す中押し成形部１０ａが設けられたコネクタ本体１の右側面図である。
【図３】上記実施形態に係るコネクタの上押し成形部２０ａの正面図である。
【図４】上記実施形態に係るコネクタを示す説明図であり、位置決め部材１２によって、中押し成形部１０ａが上押し成形部２０ａ内の適正位置に配置された状態を示す。
【図５】従来構造のコネクタ本体１を示す正面図である。
【図６】従来構造の中押し成形部１０を示す正面図である。
【図７】従来構造の上押し成形部２０を示す正面図である。
【図８】従来構造のコネクタを示す説明図であり、中押し成形部１０が上押し成形部２０内において破線で示す矢印方向に偏在している状態を示す。
【符号の説明】
【００３４】
１    コネクタ本体
２    接続部
３    ケーブル
３ａ  ケーブル被覆部分
４    リード線
５    金属製保持部材
６    モールド部材
１０  中押し成形部（従来構造）
１０ａ  中押し成形部（本発明）
１１  ボス穴
１２  位置決め部材
１３ａ  １３ｂ  対応部分
１４ａ  上面
１４ｂ  下面
２０ａ  上押し成形部
２１  ボス穴
２２  ケーブル周囲部分
２３  コネクタ中央部分
【図１】
2005158358.tif 000003
【図２】
2005158358.tif 000004
【図３】
2005158358.tif 000005
【図４】
2005158358.tif 000006
【図５】
2005158358.tif 000007
【図６】
2005158358.tif 000008
【図７】
2005158358.tif 000009
【図８】
2005158358.tif 000010